(57)【要約】【課題】印刷装置において、媒体上に形成される画像の画質の向上を図る。【解決手段】媒体に対して相対的に移動しながらインクを吐出して前記媒体上に画像を形成する吐出ヘッドを備え、前記吐出ヘッドが一の方向へ移動しながら第１基準タイミングを用いて前記インクを吐出する動作と、前記吐出ヘッドが他の方向へ移動しながら第２基準タイミングを用いて前記インクを吐出する動作とを実行する印刷装置において、前記第２基準タイミングが、前記吐出ヘッドにより前記画像としてテキスト画が形成される場合と、テキスト画以外の画像が形成される場合とで異なる。【選択図】      図１０
2004255806.tif 000002
【特許請求の範囲】
【請求項１】
媒体に対して相対的に移動しながらインクを吐出して前記媒体上に画像を形成する吐出ヘッドを備え、
前記吐出ヘッドが一の方向へ移動しながら第１基準タイミングを用いて前記インクを吐出する動作と、前記吐出ヘッドが他の方向へ移動しながら第２基準タイミングを用いて前記インクを吐出する動作とを実行する印刷装置において、
前記第２基準タイミングが、前記吐出ヘッドにより前記画像としてテキスト画が形成される場合と、テキスト画以外の画像が形成される場合とで異なることを特徴とする印刷装置。
【請求項２】
前記第１基準タイミングに対する前記第２基準タイミングのずれ量が、前記吐出ヘッドによりテキスト画以外の画像が形成される場合よりも、テキスト画が形成される場合の方が大きいことを特徴とする請求項１に記載の印刷装置。
【請求項３】
前記ずれ量は、前記吐出ヘッドから吐出されたインクが、前記媒体により早く到達するようにずれた場合のずれ量であることを特徴とする請求項２に記載の印刷装置。
【請求項４】
前記吐出ヘッドにより形成する画像として、テキスト画と、テキスト画以外の画像とをそれぞれ設定するための設定手段を備えたことを特徴とする請求項１〜３のいずれか１項に記載の印刷装置。
【請求項５】
前記テキスト画以外の画像に、自然画が含まれていることを特徴とする請求項１〜４のいずれか１項に記載の印刷装置。
【請求項６】
媒体に対して相対的に移動しながらインクを吐出して前記媒体上に画像を形成する吐出ヘッドを備え、
前記吐出ヘッドが一の方向へ移動しながら第１基準タイミングを用いて前記インクを吐出する動作と、前記吐出ヘッドが他の方向へ移動しながら第２基準タイミングを用いて前記インクを吐出する動作とを実行する印刷装置において、
前記第２基準タイミングが、前記吐出ヘッドにより前記画像として自然画が形成される場合と、自然画以外の画像が形成される場合とで異なることを特徴とする印刷装置。
【請求項７】
前記第２基準タイミングを調整する調整手段を備えたことを特徴とする請求項１〜６のいずれか１項に記載の印刷装置。
【請求項８】
前記吐出ヘッドにより、前記第２基準タイミングを調整するための調整用パターンを前記媒体に形成し得ることを特徴とする請求項７に記載の印刷装置。
【請求項９】
前記第２基準タイミングが前記インクの種類に応じて異なることを特徴とする請求項１〜８のいずれか１項に記載の印刷装置。
【請求項１０】
前記第２基準タイミングが、前記インクとして有彩色インクが吐出される場合と、無彩色インクが吐出される場合とで異なること特徴とする請求項１〜９のいずれか１項に記載の印刷装置。
【請求項１１】
媒体に対して相対的に移動しながらインクを吐出して前記媒体上に画像を形成する吐出ヘッドを備え、
前記吐出ヘッドが一の方向へ移動しながら第１基準タイミングを用いて前記インクを吐出する動作と、前記吐出ヘッドが他の方向へ移動しながら第２基準タイミングを用いて前記インクを吐出する動作とを実行する印刷装置において、
前記第２基準タイミングが、前記吐出ヘッドにより前記画像としてテキスト画が形成される場合と、自然画が形成される場合とで異なるとともに、前記インクの種類に応じて異なり、
前記吐出ヘッドにより形成する画像として、テキスト画と、テキスト画以外の画像とをそれぞれ設定するための設定手段と、
前記第２基準タイミングを調整する調整手段とを備え、
前記吐出ヘッドにより、前記第２基準タイミングを調整するための調整用パターンを前記媒体に形成し得ることを特徴とする印刷装置。
【請求項１２】
媒体に対して相対的に移動しながらインクを吐出して前記媒体上に画像を形成する吐出ヘッドを備え、
前記吐出ヘッドが一の方向へ移動しながら第１基準タイミングを用いて前記インクを吐出する動作と、前記吐出ヘッドが他の方向へ移動しながら第２基準タイミングを用いて前記インクを吐出する動作とを実行する印刷装置における印刷方法において、
前記第２基準タイミングを、前記吐出ヘッドにより前記画像としてテキスト画を形成する場合と、テキスト画以外の画像を形成する場合とで異ならせることを特徴とする印刷方法。
【請求項１３】
コンピュータ本体と、このコンピュータ本体に接続可能な印刷装置とを具備した印刷システムにおいて、
前記印刷装置は、媒体に対して相対的に移動しながらインクを吐出して前記媒体上に画像を形成する吐出ヘッドを備え、
前記吐出ヘッドが一の方向へ移動しながら第１基準タイミングを用いて前記インクを吐出する動作と、前記吐出ヘッドが他の方向へ移動しながら第２基準タイミングを用いて前記インクを吐出する動作とを実行するとともに、
前記第２基準タイミングが、前記吐出ヘッドにより前記画像としてテキスト画が形成される場合と、テキスト画以外の画像が形成される場合とで異なることを特徴とする印刷システム。
【発明の詳細な説明】
【０００１】
【発明の属する技術分野】
本発明は、例えばインクジェットプリンタをはじめとする、媒体に向けてインクを吐出する印刷装置、印刷方法および印刷システムに関する。
【０００２】
【従来の技術】
印刷装置として、紙材や布材、フィルム材等の媒体に向けてインクを吐出して印刷をするインクジェットプリンタが知られている。このインクジェットプリンタは、インクを吐出する吐出ヘッドを備え、当該吐出ヘッドを媒体に対して相対的に移動させながら、媒体に対してインクを吐出して印刷を行う。このインクの吐出によって、媒体上には多数のドットが形成されて、これら多数のドットにより、媒体上に画像が構成されるようになっている。
【０００３】
【特許文献１】
特開２０００−２９６６０８号公報（第１−２３頁、第１−２９図）
【０００４】
【発明が解決しようとする課題】
このようなインクジェットプリンタには、次のような問題点があった。すなわち、吐出ヘッドからインクを吐出して媒体上にドットを形成する際に、図１８に示すように、吐出ヘッドから吐出したインクからその一部が小さなインク滴として分離して媒体に付着して、媒体上に小さなドット１１０が形成されるといった問題が発生した。この小さなドット１１０は、「サテライト」と呼ばれ、本来目的であるメインドット１００とは別に、吐出ヘッドの移動方向先方にメインドット１００に隣接して形成される。このようなサテライト１１０が媒体上に形成されることで、媒体上に形成される画像の画質に悪影響を及ぼすことがあった。例えば、テキスト画の場合には、その輪郭がぼやけてハッキリせず、見栄えが悪くなるといった問題が発生した。特に、吐出ヘッドを往復移動させてその往路および復路の双方においてインクを吐出して印刷をする、いわゆる「双方向印刷」においては、往路および復路の双方においてサテライト１１０が発生するため、ぼやけ方も大きくなり、受ける影響が大きかった。
本発明は、このような事情に鑑みたものであって、印刷装置において、媒体上に形成される画像の画質の向上を図ることを目的とする。
【０００５】
【課題を解決するための手段】
前記目的を達成するための主たる発明は、媒体に対して相対的に移動しながらインクを吐出して前記媒体上に画像を形成する吐出ヘッドを備え、前記吐出ヘッドが一の方向へ移動しながら第１基準タイミングを用いて前記インクを吐出する動作と、前記吐出ヘッドが他の方向へ移動しながら第２基準タイミングを用いて前記インクを吐出する動作とを実行する印刷装置において、前記第２基準タイミングが、前記吐出ヘッドにより前記画像としてテキスト画が形成される場合と、テキスト画以外の画像が形成される場合とで異なることを特徴とする印刷装置である。
本発明の他の特徴は、本明細書及び添付図面の記載により明らかにする。
【０００６】
【発明の実施の形態】
＝＝＝開示の概要＝＝＝
本明細書及び添付図面の記載により少なくとも以下の事項が明らかとなる。
媒体に対して相対的に移動しながらインクを吐出して前記媒体上に画像を形成する吐出ヘッドを備え、
前記吐出ヘッドが一の方向へ移動しながら第１基準タイミングを用いて前記インクを吐出する動作と、前記吐出ヘッドが他の方向へ移動しながら第２基準タイミングを用いて前記インクを吐出する動作とを実行する印刷装置において、
前記第２基準タイミングが、前記吐出ヘッドにより前記画像としてテキスト画が形成される場合と、テキスト画以外の画像が形成される場合とで異なることを特徴とする印刷装置。
【０００７】
このような印刷装置にあっては、このようにテキスト画が形成される場合と、テキスト画以外の画像が形成される場合とで、第２基準タイミングが異なっていることで、媒体上に形成されるテキスト画の画質の向上を図ることができる。
【０００８】
かかる印刷装置にあっては、前記第１基準タイミングに対する前記第２基準タイミングのずれ量が、前記吐出ヘッドによりテキスト画以外の画像が形成される場合よりも、テキスト画が形成される場合の方が大きくても良い。このように第１基準タイミングに対する第２基準タイミングのずれ量が、テキスト画以外の画像が形成される場合よりも、テキスト画が形成される場合の方が大きいことで、媒体上に形成されるテキスト画の画質の向上を容易に図ることができる。
【０００９】
さらに、かかる印刷装置にあっては、前記ずれ量は、前記吐出ヘッドから吐出されたインクが前記媒体により早く到達するようにずれた場合のずれ量であると良い。このようなずれ量であることによって、媒体上に形成されるテキスト画の画質の向上を容易に図ることができる。
【００１０】
かかる印刷装置にあっては、前記吐出ヘッドにより形成する画像として、テキスト画と、テキスト画以外の画像とをそれぞれ設定するための設定手段を備えていても良い。このような設定手段を備えれば、テキスト画とそれ以外の画像とを各々区別して形成することができ、これにより第２基準タイミングを容易に異ならせることができる。
【００１１】
また、かかる印刷装置にあっては、前記テキスト画以外の画像に、自然画が含まれていても良い。このようにテキスト画以外の画像に、自然画が含まれていることで、テキスト画が形成される場合と、自然画が形成される場合とで、第２基準タイミングを区別することができる。
【００１２】
媒体に対して相対的に移動しながらインクを吐出して前記媒体上に画像を形成する吐出ヘッドを備え、
前記吐出ヘッドが一の方向へ移動しながら第１基準タイミングを用いて前記インクを吐出する動作と、前記吐出ヘッドが他の方向へ移動しながら第２基準タイミングを用いて前記インクを吐出する動作とを実行する印刷装置において、
前記第２基準タイミングが、前記吐出ヘッドにより前記画像として自然画が形成される場合と、自然画以外の画像が形成される場合とで異なることを特徴とする印刷装置。
【００１３】
このような印刷装置にあっては、このように自然画が形成される場合と、自然画以外の画像、例えばテキスト画などが形成される場合とで、第２基準タイミングが異なっていることで、自然画以外の画像、例えばテキスト画などが形成される場合に、その画質の向上を図ることができる。
【００１４】
かかる印刷装置にあっては、前記第２基準タイミングを調整する調整手段を備えていても良い。このような調整手段を備えることで、第２基準タイミングを簡単に調整することができる。
【００１５】
また、かかる印刷装置にあっては、前記吐出ヘッドにより、前記第２基準タイミングを調整するための調整用パターンを前記媒体に形成し得るようにしても良い。このように前記第２基準タイミングを調整するための調整用パターンを形成することができれば、第２基準タイミングの調整を簡単に行うことができる。
【００１６】
また、かかる印刷装置にあっては、前記第２基準タイミングが前記インクの種類に応じて異なるようにしても良い。このように第２基準タイミングが前記インクの種類に応じて異なるようにすれば、インクの種類に応じて吐出を行うことができ、これにより、より一層の画質の向上が図れる。
【００１７】
また、かかる印刷装置にあっては、前記第２基準タイミングが、前記インクとして有彩色インクが吐出される場合と、無彩色インクが吐出される場合とで異なるようにしても良い。このように第２基準タイミングが、有彩色インクの場合と、無彩色インクの場合とで異なることで、これら各インクに応じた吐出を行うことができ、より一層の画質の向上が図れる。
【００１８】
媒体に対して相対的に移動しながらインクを吐出して前記媒体上に画像を形成する吐出ヘッドを備え、
前記吐出ヘッドが一の方向へ移動しながら第１基準タイミングを用いて前記インクを吐出する動作と、前記吐出ヘッドが他の方向へ移動しながら第２基準タイミングを用いて前記インクを吐出する動作とを実行する印刷装置において、
前記第２基準タイミングが、前記吐出ヘッドにより前記画像としてテキスト画が形成される場合と、自然画が形成される場合とで異なるとともに、前記インクの種類に応じて異なり、
前記吐出ヘッドにより形成する画像として、テキスト画と、テキスト画以外の画像とをそれぞれ設定するための設定手段と、
前記第２基準タイミングを調整する調整手段とを備え、
前記吐出ヘッドにより、前記第２基準タイミングを調整するための調整用パターンを前記媒体に形成し得ることを特徴とする印刷装置。
【００１９】
媒体に対して相対的に移動しながらインクを吐出して前記媒体上に画像を形成する吐出ヘッドを備え、
前記吐出ヘッドが一の方向へ移動しながら第１基準タイミングを用いて前記インクを吐出する動作と、前記吐出ヘッドが他の方向へ移動しながら第２基準タイミングを用いて前記インクを吐出する動作とを実行する印刷装置における印刷方法において、
前記第２基準タイミングを、前記吐出ヘッドにより前記画像としてテキスト画を形成する場合と、テキスト画以外の画像を形成する場合とで異ならせることを特徴とする印刷方法。
【００２０】
コンピュータ本体と、このコンピュータ本体に接続可能な印刷装置とを具備した印刷システムにおいて、
前記印刷装置は、媒体に対して相対的に移動しながらインクを吐出して前記媒体上に画像を形成する吐出ヘッドを備え、
前記吐出ヘッドが一の方向へ移動しながら第１基準タイミングを用いて前記インクを吐出する動作と、前記吐出ヘッドが他の方向へ移動しながら第２基準タイミングを用いて前記インクを吐出する動作とを実行するとともに、
前記第２基準タイミングが、前記吐出ヘッドにより前記画像としてテキスト画が形成される場合と、テキスト画以外の画像が形成される場合とで異なることを特徴とする印刷システム。
【００２１】
＝＝＝印刷装置の概要＝＝＝
本発明に係る印刷装置として、インクジェットプリンタを例にとり、その概要について説明する。図１〜図５は、そのインクジェットプリンタ１の一実施形態の概要を説明するための図である。図１は、そのインクジェットプリンタ１の一実施形態の外観を示す。図２は、そのインクジェットプリンタ１のブロック構成を示し、図３は、そのインクジェットプリンタ１のキャリッジ及びその周辺部を示す。図４は、そのインクジェットプリンタ１の搬送部及びその周辺部を示し、図５は、そのインクジェットプリンタ１の搬送部の駆動機構を示す。
【００２２】
このインクジェットプリンタ１は、図１に示すように、背面から供給された印刷用紙等の被印刷体を前面から排出する構造を備えており、その前面部には操作パネル２および排紙部３が設けられ、その背面部には給紙部４が設けられている。操作パネル２には、各種操作ボタン５および表示ランプ６が設けられている。また、排紙部３には、不使用時に排紙口を塞ぐ排紙トレー７が設けられている。給紙部４には、カット紙（図示しない）を保持する給紙トレー８が設けられている。なお、インクジェットプリンタ１は、カット紙など単票状の印刷紙のみならず、ロール紙などの連続した被印刷体にも印刷できるような給紙構造を備えていても良い。
【００２３】
このインクジェットプリンタ１は、その主要部として、図２に示すように、紙搬送ユニット１０と、インク吐出ユニット２０と、クリーニングユニット３０と、キャリッジユニット４０と、計測器群５０と、制御ユニット６０とを備えている。
【００２４】
紙搬送ユニット１０は、印刷媒体である例えば紙等の媒体を印刷可能な位置に送り込み、印刷時に所定の方向（図２において紙面に垂直な方向（以下、紙搬送方向という））に所定の移動量で紙を移動させるためのものである。すなわち、紙搬送ユニット１０は、紙等の媒体を搬送する搬送機構として機能する。紙搬送ユニット１０は、図４に示すように、紙挿入口１１Ａ及びロール紙挿入口１１Ｂと、給紙モータ（不図示）と、給紙ローラ１３と、プラテン１４と、紙搬送モータ（以下、ＰＦモータという）１５と、紙搬送モータドライバ（以下、ＰＦモータドライバという）１６と、搬送ローラ１７Ａと排紙ローラ１７Ｂと、フリーローラ１８Ａとフリーローラ１８Ｂとを有する。ただし、紙搬送ユニット１０が搬送機構として機能するためには、必ずしも、これらの構成要素を全て要するというわけではない。
【００２５】
紙挿入口１１Ａは、媒体である用紙Ｓを挿入するところである。給紙モータ（不図示）は、紙挿入口１１Ａに挿入された紙Ｓをプリンタ１内に搬送するモータであり、パルスモータで構成される。給紙ローラ１３は、紙挿入口１１に挿入された紙をプリンタ１内に自動的に搬送するローラであり、給紙モータ１２によって駆動される。給紙ローラ１３は、略Ｄ形の横断面形状を有している。給紙ローラ１３の円周部分の周囲長さは、ＰＦモータ１５までの搬送距離よりも長く設定されているので、この円周部分を用いて被印刷体をＰＦモータ１５まで搬送できる。なお、給紙ローラ１３の回転駆動力と分離パッド（不図示）の摩擦抵抗とによって、複数の媒体が一度に給紙されることを防いでいる。
【００２６】
プラテン１４は、印刷中の紙Ｓを支持する支持手段である。ＰＦモータ１５は、図２および図４に示すように、媒体である例えば紙を紙搬送方向に送り出すモータであり、ＤＣモータで構成される。ＰＦモータドライバ１６は、ＰＦモータ１５の駆動を行うためのものである。搬送ローラ１７Ａは、給紙ローラ１３によってプリンタ内に搬送された紙Ｓを印刷可能な領域まで送り出すローラであり、ＰＦモータ１５によって駆動される。フリーローラ１８Ａ（図４及び図５参照）は、搬送ローラ１７Ａと対向する位置に設けられ、紙Ｓを搬送ローラ１７Ａとの間に挟むことによって紙Ｓを搬送ローラ１７Ａに向かって押さえる。
【００２７】
排紙ローラ１７Ｂ（図４参照）は、印刷が終了した紙Ｓをプリンタの外部に排出するローラである。排紙ローラ１７Ｂは、不図示の歯車により、ＰＦモータ１５によって駆動される。フリーローラ１８Ｂは、排紙ローラ１７Ｂと対向する位置に設けられ、紙Ｓを排紙ローラ１７Ｂとの間に挟むことによって紙Ｓを排紙ローラ１７Ｂに向かって押さえる。
【００２８】
インク吐出ユニット２０は、被印刷体である例えば紙にインクを吐出するためのものである。インク吐出ユニット２０は、図２に示すように、吐出ヘッド２１と、ヘッドドライバ２２とを有する。吐出ヘッド２１は、インク吐出部であるノズルを複数有し、各ノズルから断続的にインクを吐出する。ヘッドドライバ２２は、吐出ヘッド２１を駆動して、吐出ヘッド２１から断続的にインクを吐出させるためのものである。
【００２９】
クリーニングユニット３０は、図３にも示すように、吐出ヘッド２１のノズルの目詰まりを防止するためのものである。クリーニングユニット３０は、ポンプ装置３１と、キャッピング装置３５とを有する。ポンプ装置３１は、吐出ヘッド２１のノズルの目詰まりを防止するため、ノズルからインクを吸い出すものであり、ポンプモータ３２とポンプモータドライバ３３とを有する。ポンプモータ３２は、吐出ヘッド２１のノズルからインクを吸引する。ポンプモータドライバ３３は、ポンプモータ３２を駆動する。キャッピング装置３５は、吐出ヘッド２１のノズルの目詰まりを防止するため、印刷を行わないとき（待機時）に、吐出ヘッド２１のノズルを封止する。
【００３０】
キャリッジユニット４０は、図２及び図３に示すように、吐出ヘッド２１を所定の方向（図２において紙面の左右方向（以下、走査方向という））に走査移動させるためのものである。キャリッジユニット４０は、キャリッジ４１と、キャリッジモータ（以下、ＣＲモータという）４２と、キャリッジモータドライバ（以下、ＣＲモータドライバという）４３と、プーリ４４と、タイミングベルト４５と、ガイドレール４６とを有する。キャリッジ４１は、走査方向に移動可能であって、吐出ヘッド２１を固定している（したがって、吐出ヘッド２１のノズルは、走査方向に沿って移動しながら、断続的にインクを吐出する）。また、キャリッジ４１は、インクを収容するインクカートリッジ４８、４９を着脱可能に保持している。ＣＲモータ４２は、キャリッジ４１を走査方向に移動させるモータであり、ＤＣモータで構成される。ＣＲモータドライバ４３は、ＣＲモータ４２を駆動するためのものである。プーリ４４は、ＣＲモータ４２の回転軸に取付けられている。タイミングベルト４５は、プーリ４４によって駆動される。ガイドレール４６は、キャリッジ４１を走査方向に案内する。
【００３１】
計測器群５０には、リニア式エンコーダ５１と、ロータリー式エンコーダ５２と、紙検出センサ５３と、紙幅センサ５４とがある。リニア式エンコーダ５１は、キャリッジ４１の位置を検出するためのものである。ロータリー式エンコーダ５２は、搬送ローラ１７Ａの回転量を検出するためのものである。なお、エンコーダの構成等については、後述する。紙検出センサ５３は、印刷される紙の先端の位置を検出するためのものである。この紙検出センサ５３は、給紙ローラ１３が搬送ローラ１７Ａに向かって紙を搬送する途中で、紙の先端の位置を検出できる位置に設けられている。なお、紙検出センサ５３は、機械的な機構によって紙の先端を検出するメカニカルセンサである。詳しく言うと、紙検出センサ５３は紙搬送方向に回転可能なレバーを有し、このレバーは紙の搬送経路内に突出するように配置されている。そのため、紙の先端がレバーに接触し、レバーが回転させられるので、紙検出センサ５３は、このレバーの動きを検出することによって、紙の先端の位置を検出する。紙幅センサ５４は、キャリッジ４１に取付けられている。紙幅センサ５４は、発光部５４１と受光部５４３を有する光学センサであり、紙によって反射された光を検出することにより、紙幅センサ５４の位置における紙の有無を検出する。そして、紙幅センサ５４は、キャリッジ４１によって移動しながら紙の端部の位置を検出し、紙の幅を検出する。また、紙幅センサ５４は、キャリッジ４１の位置によって、紙の先端を検出できる。紙幅センサ５４は、光学センサなので、紙検出センサ５３よりも位置検出の精度が高い。
【００３２】
制御ユニット６０は、プリンタの制御を行うためのものである。制御ユニット６０は、ＣＰＵ６１と、タイマ６２と、インターフェース部６３と、ＡＳＩＣ６４と、メモリ６５と、ＤＣコントローラ６６とを有する。ＣＰＵ６１は、プリンタ全体の制御を行うためのものであり、ＤＣコントローラ６６、ＰＦモータドライバ１６、ＣＲモータドライバ４３、ポンプモータドライバ３２およびヘッドドライバ２２に制御指令を与える。タイマ６２は、ＣＰＵ６１に対して周期的に割り込み信号を発生する。インターフェース部６３は、プリンタの外部に設けられたホストコンピュータ６７との間でデータの送受信を行う。ＡＳＩＣ６４は、ホストコンピュータ６７からインターフェース部６３を介して送られてくる印刷情報に基づいて、印刷の解像度や吐出ヘッドの駆動波形等を制御する。メモリ６５は、ＡＳＩＣ６４及びＣＰＵ６１のプログラムを格納する領域や作業領域等を確保するためのものであり、ＲＡＭ、ＥＥＰＲＯＭ等の記憶手段を有する。ＤＣコントローラ６６は、ＣＰＵ６１から送られてくる制御指令と計測器群５０からの出力に基づいて、ＰＦモータドライバ１６及びＣＲモータドライバ４３を制御する。
【００３３】
このようなインクジェットプリンタ１では、印刷時において、用紙Ｓが搬送ローラ１７Ａにより間欠的に所定の搬送量で搬送され、その間欠的な搬送の合間にキャリッジ４１が、搬送ローラ１７Ａによる搬送方向に対して交差する方向、即ちここでは走査方向に沿って移動しながら、吐出ヘッド２１から用紙Ｓに向けてインクを吐出する。この吐出されたインクによって、用紙Ｓ上にはドットが形成され、当該ドットが多数形成されて用紙Ｓ上に画像が形成される。
【００３４】
また、このインクジェットプリンタ１は、印刷速度（「スループット」ともいう）の向上を図るべく、キャリッジ４１が走査方向（本発明の「一の方向」および「他の方向」に相当）に沿って往復移動する際に、その往路および復路の双方において、吐出ヘッド２１から媒体Ｓに向けてインクを吐出して印刷を行う、いわゆる「双方向印刷」を実行することができる。
【００３５】
＝＝＝吐出ヘッド２１の吐出機構＝＝＝
図５は、吐出ヘッド２１の下面部に設けられたインクの吐出ノズルの配列を示した図である。吐出ヘッド２１の下面部には、同図に示すように、ブラック（Ｋ）、シアン（Ｃ）、マゼンタ（Ｍ）およびイエロ（Ｙ）の各色ごとにそれぞれ複数のノズル♯１〜♯１０からなるノズル列２１１が設けられている。なお、これらの色のうち、ブラック（Ｋ）は無彩色に、シアン（Ｃ）、マゼンタ（Ｍ）およびイエロ（Ｙ）は有彩色に該当する。各ノズル♯１〜♯１０は、用紙７の搬送方向に沿って直線状に配列されている。各ノズル列２１１は、吐出ヘッド２１の移動方向（走査方向）に沿って相互に間隔をあけて平行に配置されている。各ノズル♯１〜♯１０には、インク滴を吐出するための駆動素子としてピエゾ素子（図示外）が設けられている。
【００３６】
ピエゾ素子は、その両端に設けられた電極間に所定時間幅の電圧を印加すると、電圧の印加時間に応じて伸張し、インクの流路の側壁を変形させる。これによって、インクの流路の体積がピエゾ素子の伸縮に応じて収縮し、この収縮分に相当するインクが、インク滴となって各色の各ノズル♯１〜♯１２から吐出される。
【００３７】
図６は、各ノズル♯１〜♯１０の駆動回路を示したものである。この駆動回路は、同図に示すように、原駆動信号発生部２２１と、複数のマスク回路２２２と、駆動信号補正回路２２３とを備えている。原駆動信号発生部２２１は、各ノズル♯１〜♯ｎに共通して用いられる原信号ＯＤＲＶを生成する。この原信号ＯＤＲＶは、一画素分の主走査期間内（キャリッジ４１が一画素の間隔を横切る時間内）において、図中下部に示すように、第１パルスＷ１と第２パルスＷ２の２つのパルスを含む信号である。原駆動信号発生部２２１で生成された原信号ＯＤＲＶは、各マスク回路２２２に出力される。
【００３８】
マスク回路２２２は、吐出ヘッド２１のノズル♯１〜♯ｎをそれぞれ駆動する複数のピエゾ素子に対応して設けられている。各マスク回路２２２には、原信号発生部２２１から原信号ＯＤＲＶが入力されるとともに、印刷信号ＰＲＴ（ｉ）が入力される。この印刷信号ＰＲＴ（ｉ）は、画素に対応する画素データであり、一画素に対して２ビットの情報を有する２値信号である。マスク回路２２２は、印刷信号ＰＲＴ（ｉ）のレベルに応じて、原信号ＯＤＲＶを遮断したり通過させたりする。すなわち、印刷信号ＰＲＴ（ｉ）がレベル『０』のときには、原信号ＯＤＲＶのパルスを遮断する一方、印刷信号ＰＲＴ（ｉ）がレベル『１』のときには、原信号ＯＤＲＶの対応するパルスをそのまま通過させて駆動信号ＤＲＶとして駆動信号補正回路２２３に出力する。
【００３９】
駆動信号補正回路２２３は、マスク回路２２２からの駆動信号ＤＲＶの波形のタイミングをずらして補正をする。ここで補正される駆動信号ＤＲＶの波形のタイミングのずらし幅は、ＣＰＵ６１等からの指示によって適宜調節される。すなわち、駆動信号補正回路２２３は、ＣＰＵ６１等からの指示によって駆動信号ＤＲＶの波形を所望のタイミングにずらすことができる。駆動信号補正回路２２３により補正された駆動信号ＤＲＶは、各ノズル♯１〜♯１０のピエゾ素子に向けて出力される。各ノズル♯１〜♯１０のピエゾ素子は、駆動信号補正回路２２３からの駆動信号ＤＲＶに基づき駆動してインクの吐出を行う。
【００４０】
本実施形態に係るインクジェットプリンタ１では、このようなノズル♯１〜♯１０の駆動回路が、各ノズル列２１１ごと、即ち、ブラック（Ｋ）、シアン（Ｃ）、マゼンタ（Ｍ）およびイエロ（Ｙ）の各色のノズル列２１１（Ｋ）、２１１（Ｃ）、２１１（Ｍ）、２１１（Ｙ）ごとに各々設けられ、各ノズル列ごとに個別にピエゾ素子の駆動が行われるようになっている。
なお、本発明の第１基準タイミングおよび第２基準タイミングは、駆動信号補正回路２２３により補正された駆動信号ＤＲＶにより規定される。
【００４１】
＝＝＝インクの着弾位置の補正＝＝＝
図７に示すように、キャリッジ４１をガイドレール４６（走査方向）に沿って往復移動させながら、その往路および復路の双方においてインクを吐出して印刷を行う、いわゆる「双方向印刷」の実行時に、往路および復路におけるインクの着弾位置のズレが発生する。このズレについて詳しく説明する。
【００４２】
図８は、吐出ヘッド２１の往路と復路におけるインクの吐出のタイミングを説明する図である。この説明図は搬送方向から見た図なので、紙面に垂直な方向が搬送方向であり、紙面の左右方向が走査方向である。吐出ヘッド２１と用紙Ｓとは、ギャップＰＧを隔てて対向して配置されている。
【００４３】
キャリッジ４１が移動しながら吐出ヘッド２１からインク滴Ｉｐが吐出されると、吐出されたインク滴Ｉｐは、慣性力によりキャリッジ４１の移動方向に沿って移動しながら、ギャップＰＧの距離を移動して用紙Ｓに到達する。このため、インク滴の吐出位置と実際の到達位置との間には、ズレが発生する。目標位置にインク滴Ｉｐを到達させるためには、その目標位置よりも手前でインク滴Ｉｐを吐出する必要がある。復路においても同様で、キャリッジ４１の移動中にインク滴Ｉｐが吐出されるから、目標位置にインク滴Ｉｐを到達させるためには、その目標位置よりも手前でインク滴Ｉｐを吐出する必要がある。
【００４４】
しかし、往路と復路とでは、キャリッジ４１の移動方向が異なるため、同じ目標位置にインク滴Ｉｐを到達させる場合であっても、その吐出タイミングが異なる。そこで、本実施形態に係るインクジェットプリンタ１では、このような往路および復路におけるインクの着弾位置のズレを解消するために、前述した駆動信号補正回路２２３により、往路および復路におけるインク滴Ｉｐの吐出タイミングをずらして補正するようになっている。この補正は、予め設定された補正値に基づき行う。この補正値については、プリンタ１に備えられたメモリ等の適宜な記憶部に記憶されていたり、また印刷に際してホストから送られてきたものを使用する。また、このような補正のことを「Ｂｉ−ｄ補正」ともいう。
【００４５】
＝＝＝印刷モード＝＝＝
本実施形態にかかるインクジェットプリンタにあっては、印刷モードとして、自然画印刷モードとテキスト画印刷モードとの２種類備えている。これら２つの印刷モードについて説明する。
【００４６】
＜自然画印刷モード＞
自然画印刷モードとは、インクジェットプリンタ１が自然画を印刷するのに適したモードのことである。ここでいう「自然画」とは、例えば、デジタルカメラなどで撮影されて作成された画像データ、例えば、ＪＥＰＧやビットマップ等の形式により記録された静止画などの画像データに基づき形成される画像のことをいう。ここでいう画像データには、「ペイントショップ（商品名）」などのペイント系アプリケーションソフトや、「フォトショップ（商品名）」などのレタッチ系アプリケーションソフトなどにより作成されたデータも含まれる。
【００４７】
プリンタ１は、ユーザにより自然画印刷モードが選択されていた場合、往路および復路におけるインクの着弾位置、即ちドット形成位置が相互に一致するように、往路および復路におけるインクの吐出タイミングを予め設定された所定の補正値に基づき補正する。
【００４８】
図９は、自然画印刷モードにより媒体Ｓ上に形成されるドットの様子を示したものである。なお、ここでは、キャリッジ４１が紙面右方向に移動した経路を「往路」といい、吐出ヘッド２１が紙面左方向に移動した経路を「復路」という。同図に示すように、媒体Ｓ上には、本来目的とするメインドット１００の他に、吐出ヘッド２１から吐出したインクから分離して形成された「サテライト」と呼ばれる小さなドット１１０が形成される。メインドット１００は、往路および復路共に、インクの着弾位置が一致して、縦方向に沿って直線上に一列に並んで配列されている。一方、サテライト１１０は、メインドット１００に対して左右バラバラに形成されている。メインドット１００の右側に形成されたサテライト１１０は、キャリッジ４１が紙面右方向、即ち往路を移動したときに形成されたものであり、メインドット１００の左側に形成されたサテライト１１０は、キャリッジ４１が紙面左方向に移動したときに形成されたものである。各サテライト１１０はそれぞれメインドット１００に近接して形成されている。
【００４９】
このようにドットを形成するのは、自然画においては、ドットを正確な位置に形成する必要があるからである。つまり、所定の目標位置にドット形成して各ドットが発色しなければ、全体としてきちんとした色合いを醸し出すことができず、従って、正確な位置にドットを形成する必要があるからである。
【００５０】
＜テキスト画印刷モード＞
テキスト画印刷モードは、インクジェットプリンタにおいてテキスト画の印刷に適するモードのことである。ここでいう「テキスト画」とは、例えば、ＡＳＣＩＩコードをはじめとする、文字や記号などを表す文字コードをはじめとするキャラクタコードや制御コードなどにより構成されたテキストデータに基づき形成された画像のことをいう。テキストデータには、「Ｍｉｃｒｏｓｏｆｔ  Ｗｏｒｄ（商品名）」や「一太郎（商品名）」といった各種ワープロソフトやテキストエディタなどで作成された文書データなども含まれる。このようなテキストデータに基づき印刷を行う場合には、テキストデータに含まれる文字コード等のキャラクタコードを、予め備えたフォント情報を参照して、文字や記号などとして画像化する処理が行われる。ここでいうテキスト画とは、このような処理により形成される画像のことである。
【００５１】
プリンタ１は、ユーザによりテキスト画印刷モードが選択されていた場合、双方向印刷時の往路および復路におけるインクの着弾位置、即ちドット形成位置を補正する。ただし、テキスト画印刷モードでは、自然画印刷モードとは異なる補正値に基づき、往路および復路におけるドット形成位置が若干ずれるように補正する。
【００５２】
図１０は、テキスト画印刷モードにより媒体Ｓ上に形成されるドットの様子を示したものである。なお、ここでもキャリッジ４１が紙面右方向に移動した経路を「往路」といい、吐出ヘッド２１が紙面左方向に移動した経路を「復路」という。同図に示すように、ここでも、媒体Ｓ上には、本来目的とするメインドット１００の他に、吐出したインクから分離して形成された「サテライト」と呼ばれる小さなドット１１０が形成される。ただし、メインドット１００は、その形成位置が往路および復路で異なり、双方の間には幅Ｔの間隔があることから、縦方向に直線上に並ばず、左右交互にずれて形成されている。このようにメインドット１００を左右交互にずらして形成するのは、メインドット１００に近接して形成されるサテライト１１０を目立たないようにするためである。つまり、往路で形成されたメインドット１００間、または復路で形成されたメインドット１００間に、サテライト１１０が収まるようにしているため、サテライト１１０が外側に突出していないのである。これによって、メインドット１００の外縁とサテライト１１０の外縁とが揃い、これらメインドット１００およびサテライト１１０により形成される画像のアウトライン（図中一点鎖線部）が滑らかになるのである。このようにアウトラインが滑らかになることで、テキスト画において画像の輪郭をはっきりさせることができる。
【００５３】
＜補正値＞
これらの印刷モードにおいてインクの着弾位置の補正に使用する補正値については、自然画印刷モードとテキスト画印刷モードとの２種類を用意する他に、インクの種類、例えば色毎に補正値を個別に用意しても良い。
図１１は、本実施形態のインクジェットプリンタにおいて、吐出するインクの色毎、即ちブラック（Ｋ）、シアン（Ｃ）、マゼンタ（Ｍ）およびイエロ（Ｙ）の各色毎に、補正値を用意した場合のデータ構成の一例を示したものである。    このようにインクの種類、例えば色等毎に、個別に補正値を用意すれば、各種類のインクの特性に応じた補正を行うことができ、より一層の画質の向上が図れる。
この他に、ブラック（Ｋ）の無彩色インクを使用する場合と、シアン（Ｃ）、マゼンタ（Ｍ）およびイエロ（Ｙ）の有彩色インクを使用する場合とで、補正値を分けて用意するようにしても良い。
【００５４】
＝＝＝印刷モードの設定＝＝＝
プリンタ１の印刷モードの設定は、プリンタ１に設けられた液晶ディスプレイ等の表示部や、プリンタ１に接続されたパーソナルコンピュータ等のコンピュータ装置からなるホスト６７を通じて行うことができる。図１２は、プリンタ１に接続されたコンピュータ装置を通じて印刷モードの設定を行う場合の一例を示したものである。ここでは、同図に示すようにコンピュータ装置に備えられたＣＲＴディスプレイ等のモニタに表示された設定画面を通じて行う。この設定画面は、コンピュータ装置に搭載された、プリンタ１に対して印刷命令を発したり、プリンタ１を制御したりするためのプリンタドライバと呼ばれるコンピュータプログラムにおいて表示される。ここで、ユーザは、表示された印刷モード（自然画印刷モードとテキスト画印刷モード）の中から所望の印刷モードをマウス等を使って選択して設定するようになっている。この設定画面においてユーザにより選択された印刷モードに関する情報は、プリンタケーブル等を通じてプリンタ１側に送信される。
【００５５】
＝＝＝プリンタ１側の印刷処理＝＝＝
プリンタ１は、ホスト６７から送信された印刷データに基づき印刷処理を実行する際に、ユーザから自然画印刷モード若しくはテキスト画印刷モードが選択されているどうかチェックし、自然画印刷モードが選択されていた場合には、自然画印刷モード用の補正値を用いて、また、テキスト画印刷モードが選択されていた場合には、テキスト画印刷モード用の補正値を用いて、それぞれ印刷処理を実行する。ユーザによりどの印刷モードが選択されているかのチェックは、ＣＰＵ６１により行う。
【００５６】
図１３は、プリンタ１（ＣＰＵ６１）の処理の一例を示したフローチャートである。同図に示すように、プリンタ１（ＣＰＵ６１）は、まず、ユーザにより自然画印刷モードが選択されていないかどうかチェックする（Ｓ１０２）。ここで、ユーザにより自然画印刷モードが選択されていた場合、ステップＳ１０４に進んで、自然画印刷用の補正値（図１１参照）を取得して、当該補正値に基づき印刷処理を実行する（Ｓ１１０）。一方、ユーザにより自然画印刷モードが選択されていなかった場合には、ステップＳ１０６に進んで、次にテキスト画印刷モードが選択されていないかどうかチェックする。ここで、テキスト画印刷モードが選択されていた場合には、ステップＳ１０８に進んで、テキスト画印刷用の補正値（図１１参照）を取得して、当該補正値に基づき印刷処理を実行する（Ｓ１１０）。なお、ステップＳ１０６で、テキスト画印刷モードが選択されていないと判断した場合には、ステップＳ１０２に戻って、再度チェックをやり直す。このような処理を行うことによって、プリンタ１は、ユーザから選択された印刷モードに応じた印刷処理を行うことができる。
【００５７】
＝＝＝調整用パターンの印刷＝＝＝
本実施形態のインクジェットプリンタ１では、ユーザにより、自然画印刷モードで用いる補正値と、テキスト画印刷モードで用いる補正値とをそれぞれ調整することができる。その調整は、媒体上に調整用パターンを印刷して行う。
【００５８】
図１４は、自然画印刷モードで使用する補正値を調整するための調整用パターンの一例を示したものである。この調整用パターン１２０は、媒体Ｓ上に縦方向に沿って７つのパッチ１２２が紙面横方向に３列形成されている。各パッチ１２２には、「１」〜「７」の符号が付加されている。各パッチ１２２は、それぞれ異なる補正値に基づき形成されている。
【００５９】
ユーザは、媒体Ｓ上に形成されたパッチ１２２を見て、その印刷具合、例えばざらつきなどをチェックし、それらのパッチ１２２の中から最も良好と思われるパッチを選出する。そして、ユーザは、選出したパッチ１２２に対応する符号をプリンタ１に入力しする。プリンタ１は、ユーザから入力された符号に基づき、自然画印刷モードで用いる補正値を調整して、今後の印刷に反映させる。
【００６０】
図１５は、テキスト画印刷モードで使用する補正値を調整するための調整用パターンの一例を示したものである。この調整用パターン１３０は、紙面縦方向に沿って形成された６つのテキスト文字１３２（ここでは「Ａ」という文字）から構成されている。各テキスト文字１３２には、「１」〜「６」の符号が付加されている。各テキスト文字１３２は、それぞれ異なる補正値に基づき形成されている。
【００６１】
ユーザは、前述した場合と同様、媒体Ｓ上に形成されたテキスト文字１３２を見て、その印刷具合、例えばぼやけ具合などをチェックし、それらテキスト文字の中から最も良好と思われるテキスト文字１３２を選出し、その選出したテキスト文字１３２に対応する符号をプリンタ１に入力する。プリンタ１は、ユーザから入力された符号に基づき、テキスト画印刷モードで用いる補正値を調整して、今後の印刷に反映させる。
【００６２】
なお、ブラック（Ｋ）の無彩色インクを使用する場合と、シアン（Ｃ）、マゼンタ（Ｍ）およびイエロ（Ｙ）の有彩色インクを使用する場合とで、補正値を分けて用意している場合には、無彩色インクによるモノクロ印刷用の調整用パターンと、有彩色インクによるカラー印刷用の調整用パターンとを印刷して調整するようにしても良い。この他、補正値を各色別に用意している場合には、各色毎にそれぞれ補正値を調整するための調整用パターンを印刷するようにしてもよい。
【００６３】
また、調整用パターンとしては、図１４または図１５に示すパターンの他に、ドットを縦方向に沿って並べて形成したパターンなど、他の形態の調整用パターンを用いても良い。
【００６４】
以上このインクジェットプリンタ１にあっては、テキスト画を印刷する場合と自然画を印刷する場合とで、それぞれ印刷する画像の種類に合った印刷を実行することができる。特に、テキスト画の印刷においては、「サテライト」と呼ばれる小さなドットが媒体Ｓ上に形成されても、この「サテライト」をあまり目立たないようにすることができ、これにより、テキスト画の輪郭をはっきりさせることができ、画質の向上が図れる。
【００６５】
なお、本実施形態のプリンタ１では、ユーザからの印刷モードの選択により、印刷する画像がテキスト画なのか、また自然画なのか設定していたが、もちろん、これから印刷しようとする画像がテキスト画なのか自然画なのかを自動的に判別するようなしくみを備えていても良い。具体的には、これから印刷しようとする画像が、画像データに基づき形成されるのか、または文字や記号などを表すキャラクタコードなどにより構成されたテキストデータに基づき形成されるのかを判別することで、テキスト画を印刷するのか自然画を印刷するのか自動的に判別することが可能である。
【００６６】
＝＝＝印刷システム等の構成＝＝＝
次に、本発明に係る印刷システムの一例として、印刷装置としてインクジェットプリンタを備えた印刷システムを例にして説明する。
図１６は、印刷システムの外観構成を示した説明図である。印刷システム１０００は、コンピュータ本体１１０２と、表示装置１１０４と、プリンタ１１０６と、入力装置１１０８と、読取装置１１１０とを備えている。コンピュータ本体１１０２は、本実施形態ではミニタワー型の筐体に収納されているが、これに限られるものではない。表示装置１１０４は、ＣＲＴ（Ｃａｔｈｏｄｅ  Ｒａｙ  Ｔｕｂｅ：陰極線管）やプラズマディスプレイや液晶表示装置等が用いられるのが一般的であるが、これに限られるものではない。プリンタ１１０６は、上記に説明されたプリンタが用いられている。入力装置１１０８は、本実施形態ではキーボード１１０８Ａとマウス１１０８Ｂが用いられているが、これに限られるものではない。読取装置１１１０は、本実施形態ではフレキシブルディスクドライブ装置１１１０ＡとＣＤ−ＲＯＭドライブ装置１１１０Ｂが用いられているが、これに限られるものではなく、例えばＭＯ（Ｍａｇｎｅｔ  Ｏｐｔｉｃａｌ）ディスクドライブ装置やＤＶＤ（Ｄｉｇｉｔａｌ  Ｖｅｒｓａｔｉｌｅ  Ｄｉｓｋ）等の他のものであっても良い。
【００６７】
図１７は、図１６に示した印刷システムの構成を示すブロック図である。コンピュータ本体１１０２が収納された筐体内にＲＡＭ等の内部メモリ１２０２と、ハードディスクドライブユニット１２０４等の外部メモリがさらに設けられている。
【００６８】
上述したプリンタの動作を制御するコンピュータプログラムは、例えばインターネット等の通信回線を経由して、プリンタ１１０６に接続されたコンピュータ１０００等にダウンロードさせることができるほか、コンピュータによる読み取り可能な記録媒体に記録して配布等することもできる。記録媒体としては、例えば、フレキシブルディスクＦＤ、ＣＤ−ＲＯＭ、ＤＶＤ−ＲＯＭ、光磁気ディスクＭＯ、ハードディスク、メモリ等の各種記録媒体を用いることができる。なお、このような記憶媒体に記憶された情報は、各種の読取装置１１１０によって、読み取り可能である。
【００６９】
なお、以上の説明においては、プリンタ１１０６が、コンピュータ本体１１０２、表示装置１１０４、入力装置１１０８、及び、読取装置１１１０と接続されてコンピュータシステムを構成した例について説明したが、これに限られるものではない。例えば、コンピュータシステムが、コンピュータ本体１１０２とプリンタ１１０６から構成されても良く、コンピュータシステムが表示装置１１０４、入力装置１１０８及び読取装置１１１０のいずれかを備えていなくても良い。また、例えば、プリンタ１１０６が、コンピュータ本体１１０２、表示装置１１０４、入力装置１１０８、及び、読取装置１１１０のそれぞれの機能又は機構の一部を持っていても良い。一例として、プリンタ１１０６が、画像処理を行う画像処理部、各種の表示を行う表示部、及び、デジタルカメラ等により撮影された画像データを記録した記録メディアを着脱するための記録メディア着脱部等を有する構成としても良い。
【００７０】
また、上述した実施形態において、プリンタを制御するコンピュータプログラムが、制御ユニット６０の記憶媒体であるメモリ６５に取り込まれていても良い。そして、制御ユニット６０が、メモリ６５に格納されたコンピュータプログラムを実行することにより、上述した実施形態におけるプリンタの動作を達成しても良い。
【００７１】
このようにして実現された印刷システムは、システム全体として従来システムよりも優れたシステムとなる。
【００７２】
＝＝＝その他の実施の形態＝＝＝
以上、一実施形態に基づき、本発明に係るプリンタ等の印刷装置について説明したが、上記の実施の形態は、本発明の理解を容易にするためのものであり、本発明を限定して解釈するためのものではない。本発明は、その趣旨を逸脱することなく、変更または改良され得るとともに、本発明には、その等価物が含まれることは言うまでもない。特に、以下に述べる実施形態であっても、本発明に係る印刷装置に含まれるものである。
また、本実施形態において、ハードウェアによって実現されていた構成の一部又は全部をソフトウェアによって置き換えてもよく、逆に、ソフトウェアによって実現されていた構成の一部をハードウェアによって置き換えてもよい。
また、被印刷体は、印刷紙の他に、布やフィルムなどであってもよい。
また、印刷装置側にて行っていた処理の一部をホスト側にて行ってよく、また印刷装置とホストの間に専用の処理装置を介設して、この処理装置にて処理の一部を行わせるようにしてもよい。
【００７３】
＜印刷装置について＞
本発明の印刷装置としては、前述したインクジェットプリンタに限らず、バブルジェットプリンタなどの他のインク吐出形式により印刷を行う印刷装置であっても良い。
【００７４】
＜インクについて＞
本発明のインクとしては、染料インクや顔料インクなどをはじめとする、様々な種類のインクが使用可能である。
【００７５】
＜媒体について＞
媒体については、前述した用紙として、普通紙やマット紙、カット紙、光沢紙、ロール紙、用紙、写真用紙、ロールタイプ写真用紙等をはじめ、これらの他に、ＯＨＰフィルムや光沢フィルム等のフィルム材や布材、金属板材などであっても構わない。すなわち、液体の吐出対象となり得るものであれば、どのような媒体であっても構わない。
【００７６】
【発明の効果】
本発明によれば、形成する画像の画質の向上を図ることができる。
【図面の簡単な説明】
【図１】インクジェットプリンタの一実施形態を示した斜視図。
【図２】インクジェットプリンタの全体構成の説明図。
【図３】インクジェットプリンタのキャリッジ等を示す図。
【図４】インクジェットプリンタの搬送機構を示す図。
【図５】ヘッドにおけるノズルの配列を示す説明図。
【図６】ヘッド駆動回路内の構成を示すブロック図。
【図７】キャリッジの往路と復路における移動方向を説明する図。
【図８】往路と復路とにおけるインクの吐出タイミングの説明図。
【図９】自然画印刷モードにおけるドットの形成状態を示す図。
【図１０】テキスト画印刷モードにおけるドットの形成状態を示す図。
【図１１】補正値のデータ構成の一例を示す図。
【図１２】プリンタの印刷モードの設定画面の一例を示す図。
【図１３】プリンタの印刷処理の手順を示すフローチャート。
【図１４】自然画印刷モードの調整用パターンの一例を示す図。
【図１５】テキスト画印刷モードの調整用パターンの一例を示す図。
【図１６】印刷システムの外観構成図。
【図１７】印刷システムの構成を示すブロック図。
【図１８】従来の問題点を説明する図。
【符号の説明】
１  インクジェットプリンタ、２  操作パネル、３  排紙部、４  給紙部、
５  操作ボタン、６  表示ランプ、７  排紙トレー、８  給紙トレー、
１０  紙搬送ユニット、  １３  給紙ローラ、  １４  プラテン、
１５  紙搬送モータ（ＰＦモータ）、
１６  紙搬送モータドライバ（ＰＦモータドライバ）、
１７Ａ  搬送ローラ、  １７Ｂ  排紙ローラ、
１８Ａ・１８Ｂ  フリーローラ、  ２０  インク吐出ユニット、
２１  ヘッド、  ２１１  ノズル列、  ２２  ヘッドドライバ、
２２１  原駆動信号発生部、  ２２２  マスク回路、
２２３  駆動信号補正回路、  ３０  クリーニングユニット、
３１  ポンプ装置、  ３２  ポンプモータ、３３  ポンプモータドライバ、
３５  キャッピング装置、４０  キャリッジユニット、４１  キャリッジ、
４２  キャリッジモータ（ＣＲモータ）、
４３  キャリッジモータドライバ（ＣＲモータドライバ）、
４４  プーリ、  ４５  タイミングベルト、  ４６  ガイドレール、
５０  計測器群、  ５１  リニア式エンコーダ、５１１  リニアスケール、
５１２  検出部、  ５１２Ａ  発光ダイオード、５１２Ｂ  コリメータレンズ、
５１２Ｃ  検出処理部、  ５１２Ｄ  フォトダイオード、
５１２Ｅ  信号処理回路、５１２Ｆ  コンパレータ、
５２  ロータリー式エンコーダ、５３  紙検出センサ、５４  紙幅センサ、
６０  制御ユニット、  ６１  ＣＰＵ、  ６２  タイマ、
６３  インターフェース部、  ６４  ＡＳＩＣ、  ６５  メモリ、
６６  ＤＣコントローラ、  ６７  ホストコンピュータ、
１００  メインドット、  １１０  サテライト、
１２０  調整用パターン、  １２２  パッチ、
１３０  調整用パターン、  １３２  テキスト文字、
１０００  コンピュータシステム、  １１０２  コンピュータ本体、
１１０４  表示装置、  １１０６  プリンタ、  １１０８  入力装置、
１１０８Ａ  キーボード、  １１０８Ｂ  マウス、  １１１０  読取装置、
１１１０Ａ  フレキシブルディスクドライブ装置、
１１１０Ｂ  ＣＤ−ＲＯＭドライブ装置、  １２０２  内部メモリ、
１２０４  ハードディスクドライブユニット
【図１】
2004255806.tif 000003
【図２】
2004255806.tif 000004
【図３】
2004255806.tif 000005
【図４】
2004255806.tif 000006
【図５】
2004255806.tif 000007
【図６】
2004255806.tif 000008
【図７】
2004255806.tif 000009
【図８】
2004255806.tif 000010
【図９】
2004255806.tif 000011
【図１０】
2004255806.tif 000012
【図１１】
2004255806.tif 000013
【図１２】
2004255806.tif 000014
【図１３】
2004255806.tif 000015
【図１４】
2004255806.tif 000016
【図１５】
2004255806.tif 000017
【図１６】
2004255806.tif 000018
【図１７】
2004255806.tif 000019
【図１８】
2004255806.tif 000020